(57)【要約】【課題】  時計周囲の環境変化を広く検出して季節や時間の移ろい等を感じさせる数多くの自然音を発生することで、直感的に季節や気温等の環境変化を想起させ、ユーザーが飽きにくい報知時計を提供することにある。【解決手段】  本発明の報知時計では、通信手段２７が外部との通信により得た環境変化情報に基づいて環境変化検出手段１６が環境変化を検出し、その環境変化に対応する自然音データを自然音選択手段１８が記憶手段１７から読み出し、その自然音データに基づいて音発生手段１９が自然音を発生する。このように、外部との通信で環境変化情報を得ているので、季節、時間帯だけでなく時計周囲の温度等の環境変化に対応するように自然音を細分化して記憶すると共に、それを環境変化に応じて読み出すことができ、季節や時間の移ろいをより感じ易い報知を行なうことができる。【選択図】  図１
2020076684.tif 000002
【特許請求の範囲】
【請求項１】
時刻情報を保有し時刻を表示する時計手段と、
外部との通信により環境変化情報を得る通信手段と、
前記環境変化情報から環境変化を検出する環境変化検出手段と、
環境変化に対応する自然音データを記憶する記憶手段と、
前記環境変化検出手段が検出した環境変化に対応する自然音データを前記記憶手段から選択して読み出す自然音選択手段と、
該自然音選択手段が選択した自然音データに基づいて自然音を発生する音発生手段と、
を備えたことを特徴とする報知時計。
【請求項２】
前記通信手段は複数の環境変化情報を得ると共に、前記環境変化検出手段は前記複数の環境変化情報を比較することで環境変化を検出する請求項１に記載の報知時計。
【請求項３】
前記環境変化情報は、温度、湿度、気圧、風速、照度、暑さ指数、体感温度、血圧、体温、環境調節機器の設定値、健康管理機器の計測値の一つ又はそれらの組み合わせからなる請求項１又は２に記載の報知時計。
【請求項４】
前記環境調節機器はエアコン、扇風機、加湿器、照明の一つ又はそれらの組み合わせからなる請求項３に記載の報知時計。
【請求項５】
前記健康管理機器は血圧計、体温計の一つ又はそれらの組み合わせからなる請求項３に記載の報知時計。
【請求項６】
前記自然音データは、動物の鳴き声、虫の鳴き声、川のせせらぎ、波の音、雨音、風の音、雷鳴、木々がそよぐ音の一つ又はそれらの組み合わせからなる請求項１乃至５の一つに記載の報知時計。
【請求項７】
前記動物の鳴き声は、複数の野鳥の鳴き声からなる請求項６に記載の報知時計。
【発明の詳細な説明】
【技術分野】
【０００１】
本発明は、生物の鳴き声や川のせせらぎ等の自然音を発生する報知時計に関するものであり、特に、時計周囲等の環境変化に対応した自然音を発生するものに関する。
【背景技術】
【０００２】
従来、時刻情報やカレンダ情報等に基づいて季節や時刻、日付を検出し、その季節、時刻、日付に応じて異なる音楽を再生することで報時する時計が提案されていた（例えば、特許文献１乃至３参照）。
【先行技術文献】
【特許文献】
【０００３】
【特許文献１】特許３８８５９５４号公報
【特許文献２】特開２００４−４５１６２号公報
【特許文献３】特開２００４−６１２９７号公報
【発明の概要】
【発明が解決しようとする課題】
【０００４】
しかしながら、季節や時刻、日付を想起させるような既存の楽曲（例えば、クリスマス曲等）は数が限られており、また、新規の楽曲を採用するには著作権者への許諾等の手続きが必要になり、楽曲を追加して増やすことは容易でなかった。このため、上記時計に使用する楽曲数は極めて限られており、何度も同じ曲が再生されることになり、ユーザーが飽きてしまうという問題があった。  また、楽曲数が少ないと、季節や時間帯あるいは気温等の環境の変化に細かく対応するように楽曲を設定することが難しいという問題もあった。
【０００５】
また、気温等の環境の変化に対応して報知する場合、時計周囲の環境変化を検出することが必要であり、そのためセンサを搭載することが必要になる。この場合、より細かく環境の変化に対応する報知を行なうには、多数のセンサを搭載することが必要になる。このように多数のセンサを搭載するとコストアップやサイズアップの原因となり、実用性に欠けるという問題があった。更に、時計にセンサを搭載した場合、時計近傍の環境変化しか検知することができず、時計周囲の環境変化の差異等に応じた報知を行なうことはできないという問題もあった。
【０００６】
本発明が解決しようとする課題は、上記従来技術の問題点を解決し、時計周囲の環境変化を広く検出して季節や時間の移ろい等を感じさせる数多くの自然音を発生することで、直感的に季節や気温等の環境変化を想起させ、ユーザーが飽きにくい報知時計を提供することにある。
【課題を解決するための手段】
【０００７】
本発明の報知時計は、時刻情報を保有し時刻を表示する時計手段と、外部との通信により環境変化情報を得る通信手段と、前記環境変化情報から環境変化を検出する環境変化検出手段と、環境変化に対応する自然音データを記憶する記憶手段と、前記環境変化検出手段が検出した環境変化に対応する自然音データを前記記憶手段から選択して読み出す自然音選択手段と、該自然音選択手段が選択した自然音データに基づいて自然音を発生する音発生手段と、を備えている。この報知時計における前記通信手段は、複数の環境変化情報を得ると共に、前記環境変化検出手段は前記複数の環境変化情報を比較することで環境変化を検出するものとなっている。
【０００８】
また、この報知時計における前記環境変化情報は、温度、湿度、気圧、風速、照度、暑さ指数、体感温度、血圧、体温、環境調節機器の設定値、健康管理機器の計測値の一つ又はそれらの組み合わせからなる。また、前記環境調節機器はエアコン、扇風機、加湿器、照明の一つ又はそれらの組み合わせからなる。また、前記健康管理機器は血圧計、体温計の一つ又はそれらの組み合わせからなる。更に、前記自然音データは、動物の鳴き声、虫の鳴き声、川のせせらぎ、波の音、雨音、風の音、雷鳴、木々がそよぐ音の一つ又はそれらの組み合わせからなる。また、前記動物の鳴き声は、複数の野鳥の鳴き声からなる。
【発明の効果】
【０００９】
本発明の報知時計では、通信手段が外部との通信により得た環境変化情報に基づいて環境変化検出手段が環境変化を検出し、その環境変化に対応する自然音データを自然音選択手段が記憶手段から読み出し、その自然音データに基づいて音発生手段が自然音を発生する。このように、外部との通信で環境変化情報を得ているので、時計の構成を複雑化あるいは大型化することなく、時計周囲の環境変化情報を広く収集して環境変化を検出することができる。これにより、より細かく季節や時間の移ろい等を表現することができ、季節、時間帯だけでなく時計周囲の温度等の環境変化に対応するように自然音を細分化して記憶すると共に、それを環境変化に応じて読み出すように構成することができ、環境変化に応じて細かく自然音を選択して発生し、季節や時間の移ろいをより感じ易い報知を行なうことができる。
【００１０】
また、野鳥の鳴き声等の自然音を採用しているので、極めて多くの音源を自由に選択して採用することができ、報知音の増加や変更が容易であり、ユーザーを飽きさせることなく長期間使用することができる。
【図面の簡単な説明】
【００１１】
【図１】本発明の一実施形態に係る報知時計の機能説明図である。
【図２】図１に示す報知時計の回路構成を示すブロック図である。
【図３】図１に示す記憶手段が記憶する自然音データの分類例を示す説明図である。
【図４】図１に示す報知時計の基本動作を示すフローチャートである。
【図５】図１に示す報知時計における時刻情報処理手段と環境変化検出手段の構成例を示す機能説明図である。
【図６】図５に示す時刻情報処理手段、環境変化検出手段及び自然音選択手段の動作を示すフローチャートである。
【図７】図５に示す時刻情報処理手段、環境変化検出手段及び自然音選択手段の他の動作を示すフローチャートである。
【図８】図５に示す時刻情報処理手段、環境変化検出手段及び自然音選択手段の他の動作を示すフローチャートである。
【図９】図５に示す時刻情報処理手段、環境変化検出手段及び自然音選択手段の他の動作を示すフローチャートである。
【図１０】図５に示す時刻情報処理手段、環境変化検出手段及び自然音選択手段の他の動作を示すフローチャートである。
【図１１】図５に示す時刻情報処理手段、環境変化検出手段及び自然音選択手段の他の動作を示すフローチャートである。
【図１２】図５に示す時刻情報処理手段、環境変化検出手段及び自然音選択手段の他の動作を示すフローチャートである。
【図１３】図５に示す時刻情報処理手段、環境変化検出手段及び自然音選択手段の他の動作を示すフローチャートである。
【図１４】図５に示す時刻情報処理手段、環境変化検出手段及び自然音選択手段の他の動作を示すフローチャートである。
【発明を実施するための形態】
【００１２】
本実施形態における報知時計の回路構成は、図２に示すように、ＩＣ等からなる制御回路１と、自然音を記憶するメモリ２と、時刻情報やカレンダ情報等を含んだ標準電波信号を受信する受信アンテナ３及び受信回路４からなる時刻情報入力部５と、指針等の時刻表示装置６とそれを駆動する表示装置駆動回路７からなる表示部８と、スピーカ９とそれを駆動するスピーカ駆動回路１０からなる音発生部１１と、時刻等を入力・設定したりモニタ動作を開始させるための外部操作部材１２と、外部装置２６との通信により時刻情報やカレンダ情報以外の環境変化情報を得る通信部１３と、から構成されている。
【００１３】
外部装置２６は、環境状態を検知する温湿度センサ、圧力センサ、光センサ、電磁気センサ、ＧＰＳ、加速度センサ、ジャイロセンサ、イメージセンサ、音センサ、距離センサ等の一つ又はそれらの組み合わせからなるセンサ、エアコン、扇風機、加湿器、照明の一つ又はそれらの組み合わせからなる環境調節機器あるいは血圧計、体温計の一つ又はそれらの組み合わせからなる健康管理機器などで構成されている。この外部装置２６は、赤外線通信、ブルートゥース（登録商標）等で通信可能なものとなっている。尚、外部装置２６を操作するリモコン等と通信部１３が通信することで、測定した温度や設定温度等の情報を得るようなものであっても良い。また、通信部１３をインターネットに接続することで、天気情報等から温度、気圧等の情報を得るように構成することも可能である。
【００１４】
また、上記報知時計の各部の機能に基づく構成は、図１に示すように、時刻情報やカレンダ情報等を保有する時計手段１５と、外部装置２６との通信により時刻情報やカレンダ情報以外の環境変化情報を得る通信手段２７と、環境変化を検出する環境変化検出手段１６と、環境変化に応じて分類された自然音を記憶する記憶手段１７と、環境変化に対応する自然音を記憶手段１７から読み出す自然音選択手段１８と、選択された自然音を発生する音発生手段１９と、から構成されている。
【００１５】
時計手段１５は、前述した時刻情報入力部５と、表示部８と、時刻情報入力部５あるいは外部操作部材１２から入力する時刻情報やカレンダ情報等を計時・保有する時刻情報処理手段１４とから構成されている。通常、この時計手段１５により、時刻の計時と表示が行われる。
【００１６】
環境変化検出手段１６は、時計手段１５から得られる時刻情報、カレンダ情報や、通信手段２７がセンサやインターネットにおける通信で得た温度、湿度、気圧、風速、照度、暑さ指数、体感温度、血圧、体温等の情報、環境調節機器の設定値、健康管理機器の計測値等の情報から、季節や時間帯あるいは寒暖、明暗等の環境変化を検出するものとなっている。
【００１７】
記憶手段１７はメモリ２からなり、環境変化に応じて分類された自然音データを記憶している。この自然音は、動物の鳴き声、虫の鳴き声、川のせせらぎ、波の音、雨音、風の音、雷鳴、木々がそよぐ音等の一つ又はそれらの組み合わせからなる。また、本実施形態における自然音は、環境変化に対応するように分類されて記憶されている。例えば、自然音として野鳥の鳴き声を記憶する場合、野鳥の活動時期と活動時間を季節と時間帯という環境変化に対応するものと捉え、図３に示すように、各野鳥の活動時期（季節）と活動時間（時間帯）に対応するように分類して記憶する。即ち、活動時期は春（３〜５月）、夏（６〜８月）、秋（９〜１１月）、冬（１２〜２月）に分けて分類し、活動時間は朝（６〜９時）、昼（１０〜１８時）、夜（１９〜５時）に分けて分類し、そこに各野鳥を当てはめる。このように分類すると、例えばウグイスは春の朝に分類され、フクロウは冬の夜に分類される。尚、この他、ニワトリの鳴き声、インコの喋り声等を月に１回のシークレット音源として記憶している。
【００１８】
自然音選択手段１８は、環境変化検出手段１６が季節、時間帯、温度等の環境変化を検出すると、記憶手段１７からその環境変化に対応する自然音データを読み出すものとなっている。例えば、環境変化検出手段１６が春の朝を環境変化として検出すると、自然音選択手段１８は、図３に示すウグイス、シジュウカラ、ヒバリ、メジロの鳴き声から一つを選択して記憶手段１７から読み出す。尚、春の朝のグループに属するウグイス、シジュウカラ、ヒバリ、メジロの鳴き声から一つを選択する場合、例えば、報時毎に周期的に選択しても良いし、ランダムに選択するように設定することもできる。また、環境変化検出手段１６が時計周囲の温度から温度の変化あるいは寒暖を環境変化として検出すると、自然音選択手段１８は、寒い地域に生息する野鳥の鳴き声と暖かい地域に生息する野鳥の鳴き声を温度あるいは寒暖に対応して選択して読み出す。
【００１９】
音発生手段１９は、自然音選択手段１８が選択した自然音データに基づいて音発生駆動信号を出力する音発生制御手段２０と、その音発生駆動信号により駆動されて自然音を発生する音発生部１１とからなる。
【００２０】
上記構成からなる報知時計の動作概要を、図４に基づいて説明する。はじめに、所定の時刻（例えば標準電波信号受信時）などに動作が開始され、季節や時間帯、温度等の環境変化があったか否か環境変化検出手段１６にて判断する（ステップＳＴ１）。ここで環境変化があった場合、自然音選択手段１８がその環境変化に対応した自然音データを記憶手段１７から選択して読み出す（ステップＳＴ２）。次に、音発生制御手段２０にて外部操作部材１２のモニタスイッチが操作されたか否か、正時になったか否か、目覚し等の設定時刻になったか否か等が順次判断され（ステップＳＴ３〜ＳＴ５）、正時等であった場合、音発生制御手段２０から音発生駆動信号が出力され、音発生部１１が自然音を発生させる（ステップＳＴ６）。
【００２１】
次に、環境変化検出手段１６の詳細な構成例を図５に基づいて説明する。本実施形態における環境変化検出手段１６は、時刻情報処理手段１４からの時刻情報及びカレンダ情報から季節と時間帯の環境変化を検出する第１の環境変化検出手段２８と、通信手段２７からの外部環境変化情報から温度等の環境変化を検出する第２の環境変化検出手段２９を備えている。
【００２２】
上記第１の環境変化検出手段２８は、季節検出手段２１と時間帯検出手段２２を備えており、それらに対してカレンダ情報と時刻情報を提供するために、時刻情報処理手段１４は計時手段２４とカレンダ情報入手手段２５を備えている。また、この実施形態では、第１の環境変化検出手段２８には月に１回のシークレット音の発生時期を検出するシークレット検出手段２３も設けられている。
【００２３】
また、第２の環境変化検出手段２９は、通信手段２７が得た温度等の外部環境変化情報を読み取る外部環境情報読取手段３０と、外部環境情報読取手段３０が読み取った情報から温度変化等の必要な外部環境変化を検出する外部環境変化検出手段３１とを備えている。
【００２４】
はじめに、カレンダ情報と時刻情報に基づいてシークレット音発生でない通常の環境変化を第１の環境変化検出手段２８が検出する場合には、図６に示すように、カレンダ情報に基づいて季節検出手段２１が春、夏、秋であるか否かを順次判断し、何れでもなければ冬と判断する（ステップＳＴ１４〜ＳＴ１６）。次に、時間帯検出手段２２が計時手段２４からの時刻情報に基づいて時間帯から朝、昼であるか否かを順次判断し、何れでもなければ夜と判断する（ステップＳＴ１７，ＳＴ１８）。このように季節検出手段２１と時間帯検出手段２２が季節と時間帯を判断すると、自然音選択手段１８は記憶手段１７における春、夏、秋、冬それぞれの自然音（野鳥の鳴き声）のグループを選択すると共にその各グループにおける朝、昼、夜それぞれの自然音（野鳥の鳴き声）を選択することで、季節と時間帯に対応した野鳥の鳴き声の自然音データを選択して読み出し（ステップＳＴ１９〜ＳＴ２５）、音発生手段１９から季節及び時間帯に合った野鳥の鳴き声からなる自然音を発生させる（ステップＳＴ１３）。
【００２５】
また、シークレット音発生の場合には、シークレット検出手段２３がカレンダ情報入手手段２５からのカレンダ情報に基づいて月１回等のシークレット音発生か否か判断し（ステップＳＴ１１）、シークレット音発生と判断すると、自然音選択手段１８がニワトリの鳴き声等のシークレット音源データを記憶手段１７から読み出し、音発生手段１９から自然音を発生させる（ステップＳＴ１３）。
【００２６】
一方、通信手段２７から温度情報を得ることで第２の環境変化検出手段２９がその変化を検出する場合、図７に示すように、外部環境情報読取手段３０で温度情報を読み取り（ステップＳＴ２６）、温度が変化したか外部環境変化検出手段３１が判断する（ステップＳＴ２７）。温度が変化したと判断すると、自然音選択手段２２はそのときの温度に対応する自然音を記憶手段１７から読み出し（ステップＳＴ２８）、音発生手段１９からその自然音を発生させる（ステップＳＴ２９）。また、温度情報だけでなく湿度情報も読み込む場合、環境変化検出手段２９は湿度も変化したか判断する（ステップＳＴ３０）。そして、湿度が変化したと判断すると、自然音選択手段２２はそのときの温度と湿度に対応する自然音を記憶手段１７から読み出し（ステップＳＴ２８）、音発生手段１９からその自然音を発生させる（ステップＳＴ２９）。温度及び湿度に対応する自然音としては、例えば、温度２２℃で湿度４０％のとき野鳥Ａの鳴き声、温度２２℃で湿度６０％のとき野鳥Ｃの鳴き声、温度２８℃で湿度４０％のとき野鳥Ｂの鳴き声、温度２８℃で湿度６０％のとき野鳥Ｄの鳴き声のように温度と湿度に対応するように野鳥の鳴き声を記憶手段１７に設定し、温度と湿度に応じてそれを選択する。
【００２７】
また、通信手段２７から温度情報を得ることで第２の環境変化検出手段２９が前回測定の温度との温度差による温度の高低変化を検出する場合、図８に示すように、前回の測定温度との差を外部環境情報読取手段３０にて読み取った情報から算出し（ステップＳＴ３１）、その差が一定値以上か否か外部環境変化検出手段３１が判断する（ステップＳＴ３２）。更に、外部環境変化検出手段３１は、その温度差が一定値以上の場合、前回より温度が高くなっているか判断する（ステップＳＴ３３）。そして、高くなっていると判断すると、自然音選択手段２２は温度が上がったときの自然音、例えば暖かい地域に生息する鳥の鳴き声又は雛鳥の鳴き声等を記憶手段１７から読み出し（ステップＳＴ３４）、音発生手段１９からその自然音を発生させる（ステップＳＴ３５）。また、外部環境変化検出手段３１が前回より温度が高くなっていないと判断すると（ステップＳＴ３３）、自然音選択手段２２は温度が下がったときの自然音、例えば寒い地域に生息する鳥の鳴き声又は徐々に音量が小さくなるようなフェードアウトする渡り鳥の鳴き声等を記憶手段１７から読み出し（ステップＳＴ３６）、音発生手段１９からその自然音を発生させる（ステップＳＴ３５）。尚、外部環境変化検出手段３１が温度差が一定値以上でなかったと判断した場合（ステップＳＴ３２）、予め設定された自然音あるいは前回報知された自然音を記憶手段１７から読み出して（ステップＳＴ３７）報知する。
【００２８】
また、通信手段２７が複数の外部装置２６から複数の温度情報を得てその変化を検出する場合、図９に示すように、複数の測定温度Ｔ１，Ｔ２の差を外部環境情報読取手段３０にて読み取った情報から算出し（ステップＳＴ３８）、その差が一定値以上か否か外部環境変化検出手段３１が判断する（ステップＳＴ３９）。更に、外部環境変化検出手段３１は、その温度差が一定値以上の場合、測定温度Ｔ１より測定温度Ｔ２が高いか判断する（ステップＳＴ４０）。そして、高いと判断すると、自然音選択手段２２は測定温度Ｔ１が高いときの自然音、例えば大型の鳥の鳴き声を記憶手段１７から読み出して設定し（ステップＳＴ４１）、音発生手段１９からその自然音を発生させる（ステップＳＴ４２）。また、外部環境変化検出手段３１が測定温度Ｔ１より測定温度Ｔ２が高くないと判断すると（ステップＳＴ４０）、自然音選択手段２２は測定温度Ｔ２が高いときの自然音、例えば小型の鳥の鳴き声を記憶手段１７から読み出し（ステップＳＴ４３）、音発生手段１９からその自然音を発生させる（ステップＳＴ４２）。尚、外部環境変化検出手段３１が温度差が一定値以上でなかったと判断した場合（ステップＳＴ３９）、予め設定された自然音あるいは前回報知された自然音を記憶手段１７から読み出して（ステップＳＴ４４）報知する。
【００２９】
また、通信手段２７が複数の外部装置２６から複数の温度情報とその位置情報を得て温度変化を検出する場合、図１０に示すように、例えば時計から遠く離れた外部装置２６からの温度と位置、時計の近くにある外部装置２６からの温度と位置をそれぞれ外部環境情報読取手段３０が読み取り（ステップＳＴ４５）、遠い方の外部装置２６であるか外部環境変化検出手段３１が判断する（ステップＳＴ４６）。ここで遠い方の外部装置２６であると判断すると、その温度が近い方の外部装置２６の温度より高いか比較して判断する（ステップＳＴ４７）。そして、外部環境変化検出手段３１が、遠い方が温度が高いと判断すると、自然音選択手段２２はフェードアウトする自然音、例えば徐々に遠ざかるように音量が小さくなる渡り鳥の鳴き声を記憶手段１７から読み出し（ステップＳＴ４８）、音発生手段１９からその自然音を発生させる（ステップＳＴ４９）。また、外部環境変化検出手段３１が、遠い方が温度が高くない（近い方が温度が高い）と判断すると（ステップ４７）、自然音選択手段２２はフェードインする自然音、例えば徐々に近付いて来るように音量が大きくなる渡り鳥の鳴き声を記憶手段１７から読み出し（ステップＳＴ５０）、音発生手段１９からその自然音を発生させる（ステップＳＴ４９）。
【００３０】
尚、外部装置２６の位置情報は、予め外部操作部材１２の操作によって手動で入力するように設定しても良い。インターネット等を利用して温度情報を得る場合には、時計から遠く離れた外部装置２６の温度とみなしても良い。
【００３１】
また、複数の外部装置２６の位置情報の比較は遠近に限らず、高低等であってもよい。
【００３２】
また、温度情報だけでなく、湿度、風速、照度等及びそれらの組み合わせ等の情報でも同様であり、それに応じた自然音を発生することが可能である。また、温度と相対湿度、風速、日照等の情報からＮＥＴ（ｎｅｔ  ｅｆｆｅｃｔ  ｔｅｍｐｅｒａｔｕｒｅ）やＡＴ（ａｐｐａｒｅｎｔ  ｔｅｍｐｅｒａｔｕｒｅ）といった体感温度、または暑さ指数を求め、その値に基づいて外部環境変化を検出し、それに応じた自然音を発生させても良い。
【００３３】
また、通信機能を有するエアコン、照明等の稼働状態から環境変化を推定し、その環境変化に応じた自然音を発生するようにすることもできる。例えば、エアコンの場合、図１１に示すように、エアコンの稼働時間を外部環境情報読取手段３０が読み取り又は計測し（ステップＳＴ５１）、長時間連続して稼働しているか外部環境変化検出手段３１が判断する（ステップＳＴ５２）。そして、長時間稼働していると判断すると、室内の温度が低くなっていると推定し、自然音選択手段２２は低い温度に対応する自然音を記憶手段１７から読み出し（ステップＳＴ５３）、音発生手段１９からその自然音を発生させる（ステップＳＴ５４）。尚、長時間稼働していないと判断すると（ステップＳＴ５２）、自然音選択手段２２は前回の自然音を記憶手段１７から読み出し（ステップＳＴ５５）、音発生手段１９から発生させる（ステップＳＴ５４）。
【００３４】
また、例えば照明の稼働状態を用いる場合、明暗をセンサで直接検出しなくても、図１２に示すように、照明の稼働と時刻を外部環境情報読取手段３０が読み取り（ステップＳＴ５６）、夜遅い時刻であるか判断する（ステップＳＴ５７）と共に照明が稼働しているか判断し（ステップＳＴ５８）、夜遅く照明が稼働しているときにはユーザーの特性を夜行性と特定する。そして、自然音選択手段２２は夜行性の動物の鳴き声等の自然音を記憶手段１７から読み出し（ステップＳＴ５９）、音発生手段１９からその自然音を発生させる（ステップＳＴ６０）。尚、夜遅くはないと判断するか（ステップＳＴ５７）又は夜遅くでも照明が稼働していないと判断すると（ステップＳＴ５８）、自然音選択手段２２は通常の自然音を記憶手段１７から読み出し（ステップＳＴ６１）、音発生手段１９からその自然音を発生させるか（ステップＳＴ６０）又は自然音の発生を停止させる（ステップ６２）。
【００３５】
また、照明の稼働状態を用いる場合、図１３に示すように、照明の稼働と時刻を外部環境情報読取手段３０が読み取り（ステップＳＴ６２）、照明が消えたか判断する（ステップＳＴ６３）と共に時刻が所定の遅い時刻以降であるか判断し（ステップＳＴ６４）、夜遅い時刻に照明が消えたときには睡眠時間が短いと推定し、翌朝目覚めることができるように目覚め効果が期待できる翌朝大音量に設定する（ステップＳＴ６５）。また、このときに、翌日の夜にヒーリング効果が期待できる野鳥の鳴き声を小音量で発生するように設定しても良い。尚、夜遅くはないと判断したときには（ステップＳＴ６４）、通常の自然音選択及び発生動作が設定される（ステップ６６）。また、目覚めやヒーリング効果が得られたか否かを判定するために、通信機能を有する血圧計等からユーザーの血圧情報等を入手しても良い。また、効果が認められなかった場合、他の自然音に切り換えたり、効果が認められた場合、優先的にそのときの自然音を発生するように構成することもできる。
【００３６】
また、エアコンの稼働状態からユーザーの特性を特定し、それを環境変化として自然音を発生させることもできる。例えば、図１４に示すように、エアコンの稼働時間と室温を外部環境情報読取手段３０が読み取り又は計測し（ステップＳＴ６７）、室温が適正値以下であるか判断する（ステップＳＴ６８）と共に長時間連続して稼働しているか外部環境変化検出手段３１が判断する（ステップＳＴ６９）。そして、適正値以下の室温で長時間稼働していると判断すると、ユーザーが暑がりであると特定し、自然音選択手段２２はより清涼感が得られるような川のせせらぎ等の自然音を記憶手段１７から読み出し（ステップＳＴ７０）、音発生手段１９からその自然音を発生させる（ステップＳＴ７１）。尚、室温が適正値以下でない又は長時間稼働していないと判断すると（ステップＳＴ６８，６９）、自然音選択手段２２は通常の自然音を記憶手段１７から読み出し（ステップＳＴ７２）、音発生手段１９から発生させる（ステップＳＴ７１）。また、上記のようにユーザーが暑がりであると特定した場合、その情報をエアコンにフィードバックしてエアコンを制御するようにすることも可能である。
【００３７】
尚、上記実施形態では、記憶手段１７に予め必要な自然音を記憶させているが、インターネット等を介してメーカーから他の自然音を受信して記憶するように構成することも可能である。
【符号の説明】
【００３８】
１    制御回路
２    メモリ
３    受信アンテナ
４    受信回路
５    時刻情報入力部
６    時刻表示装置
７    表示装置駆動回路
８    表示部
９    スピーカ
１０  スピーカ駆動回路
１１  音発生部
１２  外部操作部材
１３  通信部
１４  時刻情報処理手段
１５  時計手段
１６  環境変化検出手段
１７  記憶手段
１８  自然音選択手段
１９  音発生手段
２０  音発生制御手段
２１  季節検出手段
２２  時間帯検出手段
２３  シークレット検出手段
２４  計時手段
２５  カレンダ情報入手手段
２６  外部装置
２７  通信手段
２８  第１の環境変化検出手段
２９  第２の環境変化検出手段
３０  外部環境情報読取手段
３１  外部環境変化検出手段
【図１】
2020076684.tif 000003
【図２】
2020076684.tif 000004
【図３】
2020076684.tif 000005
【図４】
2020076684.tif 000006
【図５】
2020076684.tif 000007
【図６】
2020076684.tif 000008
【図７】
2020076684.tif 000009
【図８】
2020076684.tif 000010
【図９】
2020076684.tif 000011
【図１０】
2020076684.tif 000012
【図１１】
2020076684.tif 000013
【図１２】
2020076684.tif 000014
【図１３】
2020076684.tif 000015
【図１４】
2020076684.tif 000016